(57)【要約】  空気調和機は、単一の冷凍サイクルを構成する第１室内機と、第１室内機に第１冷媒配管を介して接続され、単一の冷凍サイクルを構成する室外機とを具備し、第１室内機は、第１冷媒配管の中を流れる冷媒の漏洩及び漏洩濃度を検出する第１冷媒漏洩センサーを具備し、室外機は、第１冷媒配管の中を流れる冷媒の圧縮を行なう圧縮機と、第１冷媒配管の中を流れる冷媒の流量を調整する第１流量調整弁と、第１冷媒漏洩センサーにより、第１冷媒配管の中を流れる冷媒の漏洩が検出された場合に、圧縮機を停止し、かつ第１流量調整弁を全閉にし、圧縮機を停止し、かつ第１流量調整弁を全閉にした後に第１流量調整弁の開く速度を、冷媒の漏洩が検出される前の第１流量調整弁の開く速度よりも遅い速度に変更する制御部とを具備する。
2020202465.tif 000002
【特許請求の範囲】
【請求項１】
単一の冷凍サイクルを構成する第１室内機と、
前記第１室内機に第１冷媒配管を介して接続され、前記単一の冷凍サイクルを構成する室外機とを具備し、
前記第１室内機は、
前記第１冷媒配管の中を流れる冷媒の漏洩及び漏洩濃度を検出する第１冷媒漏洩センサーを具備し、
前記室外機は、
前記第１冷媒配管の中を流れる冷媒の圧縮を行なう圧縮機と、
前記第１冷媒配管の中を流れる冷媒の流量を調整する第１流量調整弁と、
前記第１冷媒漏洩センサーにより、前記第１冷媒配管の中を流れる冷媒の漏洩が検出された場合に、前記圧縮機を停止し、かつ前記第１流量調整弁を全閉にし、前記圧縮機を停止し、かつ前記第１流量調整弁を全閉にした後に前記第１流量調整弁の開く速度を、前記冷媒の漏洩が検出される前の前記第１流量調整弁の開く速度よりも遅い速度に変更する制御部と
を具備する、空気調和機。
【請求項２】
前記制御部は、
前記第１冷媒漏洩センサーに検出された冷媒の漏洩濃度に基づいて、前記第１流量調整弁の開く速度を変更する、
請求項１に記載の空気調和機。
【請求項３】
前記第１流量調整弁の開く速度は、前記第１冷媒漏洩センサーに検出された冷媒の漏洩濃度が設定濃度よりも低い場合には第１速度に設定され、前記設定濃度以上である場合には前記第１速度よりも早い第２速度に設定される、
請求項１又は２に記載の空気調和機。
【請求項４】
前記制御部は、
前記第１冷媒漏洩センサーにより検出された冷媒の漏洩濃度が設定濃度となるように、前記第１流量調整弁の開く速度を変更する、
請求項１〜３のいずれか１項に記載の空気調和機。
【請求項５】
前記単一の冷凍サイクルを構成する第２室内機をさらに具備し、
前記室外機は、前記第２室内機に第２冷媒配管を介して接続され、
前記圧縮機は、前記第２冷媒配管の中を流れる冷媒の圧縮を行ない、
前記室外機は、前記第２冷媒配管の中を流れる冷媒の流量を調整する第２流量調整弁をさらに具備し、
前記制御部は、前記第１冷媒漏洩センサーにより、前記第１冷媒配管の中を流れる冷媒の漏洩が検出された場合に、前記第２流量調整弁を全閉にし、前記第２流量調整弁を全閉にした後に前記第２流量調整弁の開く速度を、前記冷媒の漏洩が検出される前の前記第２流量調整弁の開く速度から変更する、
請求項１〜４のいずれか１項に記載の空気調和機。
【請求項６】
前記第１室内機は第１警報部を有し、
前記第２室内機は第２警報部を有し、
前記制御部は、前記第１冷媒漏洩センサーにより、前記第１冷媒配管の中を流れる冷媒の漏洩が検出された場合に、前記第１警報部及び前記第２警報部に警報を発生させるための異常検出信号を出力する、
請求項５に記載の空気調和機。
【請求項７】
前記制御部は、前記第１冷媒漏洩センサーにより、前記第１冷媒配管の中を流れる冷媒の漏洩が検出された場合に、前記第１室内機及び前記第２室内機からの操作を受け付けない、
請求項５に記載の空気調和機。
【請求項８】
単一の冷凍サイクルを構成する第１室内機と、
前記単一の冷凍サイクルを構成する第２室内機と、
前記第１室内機に第１冷媒配管を介して接続され、前記第２室内機に第２冷媒配管を介して接続され、前記単一の冷凍サイクルを構成する室外機とを具備し、
前記第１室内機は、
前記第１冷媒配管の中を流れる冷媒の漏洩及び漏洩濃度を検出する第１冷媒漏洩センサーを具備し、
前記第２室内機は、
前記第２冷媒配管の中を流れる冷媒の漏洩及び漏洩濃度を検出する第２冷媒漏洩センサーを具備し、
前記室外機は、
前記第１冷媒配管及び前記第２冷媒配管の中を流れる冷媒の圧縮を行なう圧縮機と、
前記第１冷媒配管の中を流れる冷媒の流量を調整する第１流量調整弁と、
前記第２冷媒配管の中を流れる冷媒の流量を調整する第２流量調整弁と、
前記第１冷媒漏洩センサーにより、前記第１冷媒配管の中を流れる冷媒の漏洩が検出された場合に、前記第１流量調整弁を全閉にし、前記第１流量調整弁を全閉にした後に前記第１流量調整弁の開く速度を、前記冷媒の漏洩が検出される前の前記第１流量調整弁の開く速度よりも遅い速度に変更し、前記第２冷媒漏洩センサーにより、前記第２冷媒配管の中を流れる冷媒の漏洩が検出された場合に、前記第２流量調整弁を全閉にし、前記第２流量調整弁を全閉にした後に前記第２流量調整弁の開く速度を、前記冷媒の漏洩が検出される前の前記第２流量調整弁の開く速度よりも遅い速度に変更する制御部と
を具備する、空気調和機。
【発明の詳細な説明】
【技術分野】
【０００１】
本発明は、可燃性冷媒を使用する空気調和機に関する。
【背景技術】
【０００２】
近年、Ｒ４１０Ａに代わる冷媒として、地球温暖化係数の小さいＲ３２などの可燃性冷媒を用いた空気調和機が提案されている。可燃性冷媒は空気よりも比重が重いため、冷媒が滞留し易い。【０００３】
従来の空気調和機では、冷媒漏洩検知センサーが室内機側に設けられているものがある。そして、冷媒漏洩検知センサーが冷媒漏洩を検出すると、制御部が冷凍サイクルの冷媒配管の弁を閉鎖することにより、漏洩が発生した室内機へ冷媒が供給されるのを防止している（例えば、特許文献１参照）。
【先行技術文献】
【特許文献】
【０００４】
【特許文献１】特開２０１８−９７６９号公報
【発明の概要】
【発明が解決しようとする課題】
【０００５】
従来技術では、冷媒漏洩検知センサーが冷媒の漏洩を検知した場合に、制御部が冷凍サイクルの冷媒配管の弁を閉める。これにより、空気調和機は冷媒を室外機に留めることができる。その結果、室内機からの冷媒の漏洩を無くすことができる。【０００６】
通常冷凍サイクル内部で循環する冷媒は、室外機に充填されているが、接続される室内機の数、冷媒配管の長さにより、冷媒が追加される場合があり、室外機に充填されている以上の冷媒が封入されることがある。【０００７】
その結果、空気調和機の冷媒の量が出荷当時よりも多くなることがある。このように、空気調和機の冷媒の量が多くなると、冷媒を室外機の内部に留めることができないという問題がある。また、冷媒配管の弁を急に開けると室内空間の漏洩冷媒濃度が急激に上昇してしまう。【０００８】
本発明は、上記実情に鑑みてなされたものであり、冷媒を室外機の内部に留めることができない場合であっても、室内空間の漏洩冷媒濃度を低く抑えることができる空気調和機を提供することを目的とする。
【課題を解決するための手段】
【０００９】
第１態様の空気調和機によれば、単一の冷凍サイクルを構成する第１室内機と、第１室内機に第１冷媒配管を介して接続され、単一の冷凍サイクルを構成する室外機とを具備し、第１室内機は、第１冷媒配管の中を流れる冷媒の漏洩及び漏洩濃度を検出する第１冷媒漏洩センサーを具備し、室外機は、第１冷媒配管の中を流れる冷媒の圧縮を行なう圧縮機と、第１冷媒配管の中を流れる冷媒の流量を調整する第１流量調整弁と、第１冷媒漏洩センサーにより、第１冷媒配管の中を流れる冷媒の漏洩が検出された場合に、圧縮機を停止し、かつ第１流量調整弁を全閉にし、圧縮機を停止し、かつ第１流量調整弁を全閉にした後に第１流量調整弁の開く速度を、冷媒の漏洩が検出される前の第１流量調整弁の開く速度よりも遅い速度に変更する制御部とを具備する。
【発明の効果】
【００１０】
本発明によれば、第１室内機から冷媒が漏洩する速度を遅くすることができ、その結果、室内空間の漏洩冷媒濃度を低く抑えることができる。また、室外機内部に溜める冷媒の量を少なくすることができる。
【図面の簡単な説明】
【００１１】
【図１】実施の形態に係るマルチ形空調機システムの冷媒システムを説明するための図である。
【図２】実施の形態に係るマルチ形空調機システムの制御を説明するためのブロック図である。
【図３】実施の形態にマルチ形空調機システムの冷媒システムの動作について説明するためのフローチャートである。
【図４】室内機３ａ〜３ｃの制御部３０ａ〜３０ｃの動作を説明するためのフローチャートである。
【図５】従来のマルチ形空調機システムの冷媒漏洩検出時の状態を示す状態遷移図である。
【図６】実施の形態に係るマルチ形空調機システムの冷媒漏洩検出時の状態を示す状態遷移図である。
【図７】制御部５の変形例１の動作を説明するためのフローチャートである。
【図８】制御部５の変形例２の動作を説明するためのフローチャートである。
【図９】制御部５の変形例３の動作を説明するためのフローチャートである。
【図１０】制御部５の変形例４の動作を説明するためのフローチャートである。
【図１１】制御部５の変形例５の動作を説明するためのフローチャートである。
【発明を実施するための形態】
【００１２】
以下、図面を参照して、実施の形態に係るマルチ形空調機システムについて説明する。なお、図面において、同一の構成要素には同一符号を付して説明し、重複説明は必要な場合にのみ行なう。
【００１３】
実施の形態．
１−１  構成
図１は、実施の形態に係るマルチ形空調機システムの冷媒システムを説明するための図である。
【００１４】
図１に示すように、マルチ形空調機システム１は、室外機２と複数の室内機３ａ〜３ｃとが、冷媒配管１０を介して接続されている。室外機２と複数の室内機３ａ〜３ｃとは、単一の冷凍サイクルを構成する。
【００１５】
この冷凍サイクルでは、室外機２の圧縮機１１で圧縮された冷媒は、室外熱交換器１２、流量調整弁１４ａを介して室内熱交換器２１ａへ循環され、再び圧縮機１１へ戻される。また、圧縮機１１で圧縮された冷媒は、室外熱交換器１２、流量調整弁１４ｂを介して室内熱交換器２１ｂへ循環され、再び圧縮機１１へ戻される。さらに、圧縮機１１で圧縮された冷媒は、室外熱交換器１２、流量調整弁１４ｃを介して室内熱交換器２１ｃへ循環され、再び圧縮機１１へ戻される。マルチ形空調機システム１は、この冷凍サイクルを使用して、循環する冷媒の状態変化、すなわち、液化及びガス化する際の熱給放出により室内機空間の温度を一定保つ。
【００１６】
実施の形態では、冷媒として可燃性冷媒が用いられている。可燃性冷媒とは、空気に対する濃度が所定の範囲であるときに、着火源があると燃焼する冷媒のことであり、たとえば、ＨＦＯ−１２３４ｙｆ（ＣＦ３ＣＦ＝ＣＨ２）の単一もしくは混合冷媒、又はプロパン（Ｒ２９０）のような炭化水素系冷媒などである。微燃性と呼ばれる冷媒もここでは可燃性冷媒に含むものとする。
【００１７】
室外機２は、圧縮機１１、室外熱交換器１２、室外ファン１３及び流量調整弁１４ａ〜１４ｃを有する。
【００１８】
圧縮機１１は、各室内機３ａ〜３ｃからの冷媒配管１０に接続される。圧縮機１１は、各室内機３ａ〜３ｃからの冷媒配管１０の内部を流れる冷媒を圧縮し、室外熱交換器１２に出力する。
【００１９】
室外熱交換器１２は、圧縮された冷媒を使用して外部と熱交換を行ない、熱交換が行なわれた冷媒を各室内機３ａ〜３ｃへの冷媒配管１０へ出力する。
【００２０】
室外ファン１３は、室外熱交換器１２による熱交換の際に発生する熱を送風する。
【００２１】
流量調整弁１４ａ〜１４ｃは、膨張弁とも呼ばれている。流量調整弁１４ａ〜１４ｃは、各室内機３ａ〜３ｃへの複数の冷媒配管１０にそれぞれ設けられる。流量調整弁１４ａは、室内機３ａへの冷媒配管１０内を流れる冷媒の流量を弁の開度により調整する。流量調整弁１４ｂは、室内機３ｂへの冷媒配管１０内を流れる冷媒の流量を弁の開度により調整する。流量調整弁１４ｃは、室内機３ｃへの冷媒配管１０内を流れる冷媒の流量を弁の開度により調整する。また、流量調整弁１４ａ〜１４ｃは、圧縮機１１により圧縮された冷媒を減圧する。実施の形態のマルチ形空調機システムでは、流量調整弁１４ａ〜１４ｃの開度が室内機の運転状況に基づいて、後述する室外機２の制御部によりそれぞれ制御される。
流量調整弁１４ａ〜１４ｃの開度の速度は、通常の弁の開度の速度で行なわれる。実施の形態では、この通常の弁の開度の速度は、後述する冷媒漏洩センサー３１により冷媒の漏洩が検出された後の流量調整弁１４ａ〜１４ｃの開度の速度よりも速い。
【００２２】
室内機３ａは、室内熱交換器２１ａ、室内ファン２２ａ及び警報部３２ａを有している。室内機３ｂは、室内熱交換器２１ｂ、室内ファン２２ｂ及び警報部３２ｂを有している。室内機３ｃは、室内熱交換器２１ｃ、室内ファン２２ｃ及び警報部３２ｃを有している。室内機３ｂは、さらに、冷媒漏洩センサー３１を有している。
【００２３】
室内熱交換器２１ａは、流量調整弁１４ａにより減圧された冷媒により室内熱交換器２１ａの室内空間の空気と熱交換を行なう。室内熱交換器２１ｂは、流量調整弁１４ｂにより減圧された冷媒により室内熱交換器２１ｂの室内空間の空気と熱交換を行なう。室内熱交換器２１ｃは、流量調整弁１４ｃにより減圧された冷媒により室内熱交換器２１ｃの室内空間の空気と熱交換を行なう。熱交換が行われた冷媒は、室内機３ａ〜３ｃの冷媒配管１０をそれぞれ介して、圧縮機１１に戻される。
【００２４】
室内ファン２２ａは、室内熱交換器２１ａにより吸熱された室内空間の空気を送風する。室内ファン２２ｂは、室内熱交換器２１ｂにより吸熱された室内空間の空気を送風する。室内ファン２２ｃは、室内熱交換器２１ｃにより吸熱された室内空間の空気を送風する。
【００２５】
警報部３２ａ〜３２ｃは、ブザー又はランプなどの警報を発生するものである。警報部３２ａは、後述する室内機３ａの制御部３０ａからの指示に基づいて、警報を発する。警報部３２ｂは、後述する室内機３ｂの制御部３０ｂからの指示に基づいて、警報を発する。警報部３２ｃは、後述する室内機３ｃの制御部３０ｃからの指示に基づいて、警報を発する。
【００２６】
冷媒漏洩センサー３１は、室内機３ｂの内部に設けられている。冷媒漏洩センサー３１は、室内機３ｂの外部に設けられていても良い。冷媒漏洩センサー３１は、冷凍サイクルを構成する冷媒回路から冷媒が漏洩したことを検出する。具体的には、室内機３ｂの冷媒配管の中を流れる冷媒の漏洩を検出する。冷媒漏洩センサー３１は、例えば、酸素濃度式又は可燃性ガス検知式のセンサーである。また、冷媒漏洩センサー３１は、漏洩した冷媒の濃度を検出する。
【００２７】
図２は、実施の形態に係るマルチ形空調機システムの制御を説明するためのブロック図である。
【００２８】
図２に示すように、室外機２は制御部５を有し、室内機３ａ〜３ｃは制御部３０ａ〜３０ｃをそれぞれ有する。
【００２９】
室外機２の制御部５は、マルチ形空調機システム１の全体の制御を司る。具体的には、制御部５は、室外機２の圧縮機１１、室外ファン１３及び流量調整弁１４ａ〜１４ｃを制御するとともに、実施の形態に係る動作を実現するための処理を行なう。
【００３０】
また、制御部５は、室内機３ａ〜３ｃの制御部３０ａ〜３０ｃと通信可能に接続されている。例えば、制御部５は、室内機３ａ〜３ｃの制御部３０ａ〜３０ｃから送信される操作信号を受けて、室外機２の圧縮機１１、室外ファン１３及び流量調整弁１４ａ〜１４ｃを制御する。さらに、制御部５には、冷媒漏洩検出処理時の処理に使用される設定濃度５ａが記憶されている。
【００３１】
制御部３０ａ〜３０ｃは、室内機３ａ〜３ｃの全体的な制御をそれぞれ行なう。具体的には、制御部３０ａ〜３０ｃは、室内ファン２２ａ〜２２ｃ及び警報部３２ａ〜３２ｃをそれぞれ制御するとともに、実施の形態に係る動作を実現するための処理を行なう。また、制御部３０ａ〜３０ｃは、室内機３ａ〜３ｃのリモコン又は操作ボタン等からの操作指示をそれぞれ受け付ける。制御部３０ａ〜３０ｃは、室内機３ａ〜３ｃのＩＤとともに、操作指示信号を制御部５にそれぞれ出力する。
【００３２】
さらに、室内機３ｂの制御部３０ｂは、冷媒漏洩センサー３１により冷媒の漏洩が検出された場合に、冷媒漏洩検出信号を制御部５に出力する。
【００３３】
室外機２の制御部５及び室内機３ａ〜３ｃの制御部３０ａ〜３０ｃは、プログラムなどを格納するメモリと、ＣＰＵ（Central Processing Unit）とを有し、ＣＰＵがプログラムを実行することにより実現されても良いし、ハードウェア回路で実現されても良い。
【００３４】
室内機３ｂは第１室内機、冷媒漏洩センサー３１は第１冷媒漏洩センサー、流量調整弁１４ｂは第１流量調整弁、室内機３ｂへの冷媒配管１０が第１冷媒配管、警報部３２ｂは第１警報部、室内機３ａ、３ｃは第２室内機、流量調整弁１４ａ、１４ｃは第２流量調整弁、室内機３ａ、３ｃへの冷媒配管１０が第２冷媒配管、警報部３２ａ、３２ｃは第２警報部である。
【００３５】
１−２  動作
次に、実施の形態にマルチ形空調機システムの冷媒システムの動作について説明する。
図３は、実施の形態にマルチ形空調機システムの冷媒システムの動作について説明するためのフローチャートである。
【００３６】
室内機３ａ〜３ｃの運転が開始された後、制御部５は冷媒漏洩センサー３１が冷媒の漏洩を検出したか否かの判断を行なう（Ｓ１）。具体的には、冷媒漏洩センサー３１が冷媒の漏洩を検出した場合に、室内機３ｂの制御部３０ｂが冷媒漏洩検出信号を制御部５に送信する。制御部５は、制御部３０ｂから冷媒漏洩検出信号を受信した場合に、冷媒の漏洩を検出する。
【００３７】
ステップＳ１において冷媒の漏洩が検出された場合（Ｓ１のＹｅｓ）、制御部５は室外機２及び室内機３ａ〜３ｃの制御を行なう。ステップＳ１において、冷媒の漏洩が検出されない場合、冷媒の漏洩の検出を継続する（Ｓ１のＮｏ）
【００３８】
室外機２の制御については、圧縮機１１の運転を停止し、流量調整弁１４ａ〜１４ｃを全閉にし、室外ファン１３の運転を停止する（Ｓ２）。その後、流量調整弁１４ａ〜１４ｃを開く速度を冷媒の漏洩が検出される前の速度よりも遅い速度に変更し、変更された速度で流量調整弁１４ａ〜１４ｃを開く（Ｓ３）。すなわち、実施の形態では、漏洩が検出された場合、流量調整弁１４ａ〜１４ｃを全閉にし、流量調整弁１４ａ〜１４ｃの開度を少しずつ開くように制御する。
【００３９】
一方、室内機３ａ〜３ｃについては、制御部５は、室内機３ｂの制御部３０ｂから冷媒漏洩検出信号を受信すると、各室内機３ａ〜３ｃの制御部３０ａ〜３０ｃにそれぞれ異常検出信号を出力する（Ｓ４）。
【００４０】
図４は、室内機３ａ〜３ｃの制御部３０ａ〜３０ｃの動作を説明するためのフローチャートである。
【００４１】
室内機３ａ〜３ｃの制御部３０ａ〜３０ｃは異常検出信号を受信（Ｓ１１のＹｅｓ）すると、警報部３２ａ〜３２ｃから警報をそれぞれ出力するように警報部３２ａ〜３２ｃを制御する（Ｓ１２）。
【００４２】
一方、ステップＳ１１において異常検出信号が受信されない場合（Ｓ１１のＮｏ）、異常検出信号の受信の監視を継続する。
図５は、従来のマルチ形空調機システムの冷媒漏洩検出時の状態を示す状態遷移図である。
【００４３】
図５に示すように、時刻ｔ１で室内機の運転が「ＯＮ」の場合であって、異常が発生していない場合、すなわち、異常発報が「ＯＦＦ」の場合、室内機の室内ファンは「ＯＮ」、冷媒漏検出は「ＯＦＦ」である。
【００４４】
この時、室外機の運転は「ＯＮ」、圧縮機は「ＯＮ」、室外ファンは「ＯＮ」、流量調整弁は「全開」となる。なお、流量調整弁の開度は、室内機からの操作により変動する。
【００４５】
時刻ｔ２で異常が発生し、時刻ｔ３で冷媒漏洩が検出されると、室外機の運転は「ＯＦＦ」、圧縮機は「ＯＦＦ」、室外ファンは「ＯＦＦ」、流量調整弁は「全閉」となる。圧縮機の停止後も流量調整弁は「全閉」状態を維持し、冷媒が室内機側へ流入することはない。
【００４６】
図６は、実施の形態に係るマルチ形空調機システムの冷媒漏洩検出時の状態を示す状態遷移図である。
【００４７】
時刻ｔ２で異常が発生し、時刻ｔ３で冷媒漏洩が検出されると、室外機の運転は「ＯＦＦ」、圧縮機は「ＯＦＦ」、室外ファンは「ＯＦＦ」となる点は、図５と同じであるが、図５と異なる点は、流量調整弁は一旦「全閉」となった後、弁の開度を少しずつ開く、すなわち、流量調整弁の開く速度を遅くしていることにある。
【００４８】
１−３  効果
実施の形態によれば、冷媒漏洩センサー３１により冷媒漏洩を検出した後、圧縮機１１の運転を停止し、流量調整弁１４ａ〜１４ｃを「全閉」にする。その後、流量調整弁１４ａ〜１４ｃを開く速度を冷媒の漏洩が検出される前の速度よりも遅い速度に変更する。これにより、漏洩が発生している室内機からの漏洩速度を遅くすることができる。その結果、室内空間の漏洩冷媒の濃度を低くすることができる。
【００４９】
２  変形例
２−１  変形例１
実施の形態において、冷媒の漏洩が検出された場合に、流量調整弁１４ａ〜１４ｃを「全閉」にし、その後、流量調整弁１４ａ〜１４ｃを開く速度を漏洩した冷媒の濃度に基づいて決定しても良い。
【００５０】
図７は、制御部５の変形例１の動作を説明するためのフローチャートである。
【００５１】
図７に示すように、制御部５は、図３のステップＳ２において室外機２の制御を行なった後、冷媒漏洩センサー３１により検出された漏洩した冷媒の濃度に基づいて、流量調整弁１４ａ〜１４ｃの速度を決定する（Ｓ２１）。例えば、漏洩した冷媒の濃度が高い方が流量調整弁１４ａ〜１４ｃの速度を漏洩した冷媒の濃度が低い場合に比して速くする。
【００５２】
次に、決定された速度で流量調整弁１４ａ〜１４ｃを開く（Ｓ２２）。
【００５３】
これにより、漏洩が発生している室内機からの漏洩速度を適切にすることができる。その結果、室内空間の漏洩冷媒の濃度を低くすることができる。
【００５４】
２−２  変形例２
実施の形態において、冷媒の漏洩が検出された場合に、流量調整弁１４ａ〜１４ｃを「全閉」にし、その後、流量調整弁１４ａ〜１４ｃを開く速度を設定濃度に基づいて決定しても良い。
【００５５】
図８は、制御部５の変形例２の動作を説明するためのフローチャートである。
【００５６】
図８に示すように、制御部５は、図３のステップＳ２において室外機２の制御を行なった後、冷媒漏洩センサー３１により検出された漏洩した冷媒の濃度が設定濃度以上であるか否かの判断を行なう（Ｓ３１）。
【００５７】
漏洩した冷媒の濃度が設定濃度よりも低い場合（Ｓ３１のＮｏ）、第１速度で流量調整弁１４ａ〜１４ｃを開く（Ｓ３２）。漏洩した冷媒の濃度が設定濃度以上である場合（Ｓ３１のＹｅｓ）、第２速度で流量調整弁１４ａ〜１４ｃを開く（Ｓ３３）。ここで、第２速度＞第１速度である。
【００５８】
これにより、漏洩が発生している室内機からの漏洩速度を適切にすることができる。その結果、室内空間の漏洩冷媒の濃度を低くすることができる。
【００５９】
２−３  変形例３
実施の形態において、冷媒の漏洩が検出された場合に、流量調整弁１４ａ〜１４ｃを「全閉」にし、その後、漏洩冷媒濃度が設定濃度となるように流量調整弁１４ａ〜１４ｃを開く速度を制御しても良い。
【００６０】
図９は、制御部５の変形例３の動作を説明するためのフローチャートである。
【００６１】
図９に示すように、制御部５は、図３のステップＳ２において室外機２の制御を行なった後、冷媒漏洩センサー３１により検出された漏洩した冷媒の濃度が設定濃度であるか否かの判断を行なう（Ｓ４１）。
【００６２】
ステップＳ４１において、漏洩した冷媒の濃度が設定濃度であると判断された場合（Ｓ４１のＹｅｓ）、室外機２の運転を停止する。一方、ステップＳ４１において、漏洩した冷媒の濃度が設定濃度でないと判断された場合（Ｓ４１のＮｏ）、冷媒の漏洩濃度が設定濃度となるように流量調整弁１４ａ〜１４ｃの速度を決定する（Ｓ４２）。そして、決定された速度で流量調整弁１４ａ〜１４ｃを開き（Ｓ４３）、ステップＳ４１の処理に戻る。
【００６３】
これにより、室内空間の漏洩冷媒の濃度を一定に保つことができ、室内空間の漏洩冷媒の濃度を低くすることができる。
【００６４】
２−４  変形例４
実施の形態において、冷媒の漏洩が検出された場合に、室内機３ａ〜３ｃからの運転などの操作信号を無効化しても良い。
【００６５】
図１０は、制御部５の変形例４の動作を説明するためのフローチャートである。
【００６６】
図１０に示すように、制御部５は、図３のステップＳ３及びステップＳ４の処理の後、室内機３ａ〜３ｃの制御部３０ａ〜３０ｃから運転などの操作信号を受信したか否かの判断を行なう（Ｓ４５）。
【００６７】
ステップＳ４５において、室内機３ａ〜３ｃの制御部３０ａ〜３０ｃから運転などの操作信号を受信したと判断した場合には（Ｓ４５のＹｅｓ）、制御部５は、受信した操作信号を無効化する（Ｓ４６）。すなわち、制御部５は、操作信号を受信しても操作信号に基づく制御を行なわない。一方、操作信号を受信していない場合には（Ｓ４５のＮｏ）、室外機２の運転を停止する。
【００６８】
これにより、室外機運転に伴なう漏洩対象室内機への冷媒の流入を減少することができ、室内空間の漏洩冷媒の濃度を低くすることができる。
【００６９】
２−５  変形例５
実施の形態において、室内機３ｂに加えて、室内機３ａ及び３ｃにも第２冷媒漏洩センサーとしての冷媒漏洩センサー３１を設け、冷媒漏洩が発生した室内機を特定し、この特定された室内機の冷媒配管１０の流量調整弁の速度を変更し、他の室内機の運転を継続しても良い。
【００７０】
図１１は、制御部５の変形例５の動作を説明するためのフローチャートである。
【００７１】
室内機３ａ〜３ｃの運転が開始された後、制御部５は室内機３ａ〜３ｃに設けられた冷媒漏洩センサー３１が冷媒の漏洩を検出したか否かの判断を行なう（Ｓ５１）。
【００７２】
ステップＳ５１において、室内機３ａ〜３ｃに設けられた冷媒漏洩センサー３１が冷媒の漏洩を検出したと判断した場合（Ｓ５１のＹｅｓ）、制御部５は、冷媒の漏洩を検出した冷媒漏洩センサー３１を特定する（Ｓ５２）。例えば、制御部５は、冷媒漏洩検出信号に付されるＩＤにより、どの室内機の冷媒漏洩センサーであるかを特定する。
【００７３】
一方、室内機３ａ〜３ｃに設けられた冷媒漏洩センサー３１が冷媒の漏洩を検出していないと判断した場合（Ｓ５１のＮｏ）、冷媒の漏洩の監視を継続する。
次に、制御部５は室外機２及び室内機３ａ〜３ｃの制御を行なう。
【００７４】
室外機２の制御については、特定された冷媒漏洩センサーの室内機の流量調整弁を全閉にする（Ｓ５３）。
【００７５】
その後、特定された冷媒漏洩センサーの流量調整弁を開く速度を冷媒の漏洩が検出される前の速度よりも遅い速度に変更し、変更された速度で特定された冷媒漏洩センサーの流量調整弁を開く（Ｓ５４）。すなわち、実施の形態では、漏洩が検出された場合、特定された冷媒漏洩センサーの室内機の流量調整弁を全閉にし、流量調整弁の開度を少しずつ開くように制御する。
【００７６】
一方、制御部５は、冷媒漏洩検出信号を受信すると、特定された室内機以外の他の室内機の制御部にそれぞれ異常検出信号を出力する（Ｓ５５）。
【００７７】
次に、他の室内機から運転などの操作信号を受信したか否かの判断が行われる（Ｓ５６）。操作信号を受信したと判断された場合（Ｓ５６のＹｅｓ）、受信した操作信号を無効化する（Ｓ５７）。すなわち、制御部５は、操作信号を受信しても操作信号に基づく制御を行なわない。一方、操作信号を受信していない場合には（Ｓ５６のＮｏ）、ステップＳ５１の処理に戻る。
【００７８】
これにより、特定の室内機に冷媒漏洩が発生しても、他の室内機の運転を継続することができる。
【００７９】
なお、実施の形態においてはマルチ形空調機システムについて説明したが、実施の形態は室内機及び室外機が各１つの空気調和機にも適用することができる。
【００８０】
実施の形態は、例として提示したものであり、実施の形態の範囲を限定することは意図していない。実施の形態は、その他の様々な形態で実施されることが可能であり、実施の形態の要旨を逸脱しない範囲で、種々の省略、置き換え、変更を行なうことができる。これら実施の形態やその変形は、実施の形態の範囲や要旨に含まれる。
【符号の説明】
【００８１】
１  マルチ形空調機器システム、２  室外機、３ａ、３ｂ、３ｃ  室内機、５  制御部、５ａ  設定濃度、１０  冷媒配管、１１  圧縮機、１２  室外熱交換器、１３  室外ファン、１４ａ、１４ｂ、１４ｃ  流量調整弁、２１ａ、２１ｂ、２１ｃ  室内熱交換器、２２ａ、２２ｂ、２２ｃ  室内ファン、３０ａ、３０ｂ、３０ｃ  制御部、３１  冷媒漏洩センサー、３２ａ、３２ｂ、３２ｃ  警報部。
【図１】
2020202465.tif 000003
【図２】
2020202465.tif 000004
【図３】
2020202465.tif 000005
【図４】
2020202465.tif 000006
【図５】
2020202465.tif 000007
【図６】
2020202465.tif 000008
【図７】
2020202465.tif 000009
【図８】
2020202465.tif 000010
【図９】
2020202465.tif 000011
【図１０】
2020202465.tif 000012
【図１１】
2020202465.tif 000013
【国際調査報告】
2020202465.tif 000014
2020202465.tif 000015
2020202465.tif 000016
2020202465.tif 000017